(57)【要約】      （修正有）【課題】シャトル及びサテライを変位させるときの正確さと、動作時間の最適化とに関連する２つの種類の問題を回避する自動倉庫システムを提供する。【解決手段】自動倉庫は、主経路１２と、主経路に対して垂直な一連の副経路１６とを備え、一連の主経路に沿って保管ステーションが画定され、カーゴ・ユニット１１が受け取られる。カーゴ・ユニットを移動させるために、主自己推進手段３２（シャトル）が主経路に沿って移動可能であり、主自己推進手段は、副経路に沿って移動可能である補助自己推進手段（サテライト）に関連付けられる。ロケーション・データ表現が経路に沿って提供され、ロケーション・データ表現が自動倉庫内の基準点又は基準範囲の絶対位置を一義的に特定する。データを読み取るためのセンサが、主自己推進手段及び補助自己推進手段のボード上に設置される。【選択図】図３
0003222407.tif 000002
【実用新案登録請求の範囲】
【請求項１】
相互に面する平行な主ガイド（２４）の間で特定される少なくとも１つの主経路（１２）と、
相互に面する平行な対の副ガイド（１８）によって特定される、前記主経路（１２）に対して垂直な複数の副経路（１６）であって、前記複数の副経路（１６）に沿って保管ステーション（１６ｂ）が画定され、各ステーションが少なくとも１つのカーゴ・ユニット（１１）を受け取るように適合される、複数の副経路（１６）と、
前記カーゴ・ユニット（１１）を操作するための少なくとも１つの自己推進装置（３０）であって、前記主経路（１２）の前記主ガイドに沿って移動可能である主自己推進手段（３２）を備え、前記主自己推進手段（３２）が、前記副経路（１６）の前記副ガイドに沿って移動可能である少なくとも１つの補助自己推進手段（３４）を受け入れるための少なくとも１つのシート（３３ａ）を有する、少なくとも１つの自己推進装置（３０）と
を備える自動倉庫であって、
前記主経路（１２）の前記主ガイド（２４）のうちの少なくとも１つの主ガイドの少なくとも１つの面（２８ａ、２８ｂ、２８ｃ）が、少なくとも第１のセンサ（３８）によって読み取り可能である第１のロケーション・データ表現（２６）を提供し、
前記副経路（１６）の前記副ガイド（１８）のうちの少なくとも１つの副ガイドの少なくとも１つの面（１９ａ、１９ｂ、１９ｃ）が、少なくとも第２のセンサ（４８）によって読み取り可能である第２のロケーション・データ表現（２２）を提供し、
前記主自己推進装置（３２）が、前記第１のロケーション・データ表現（２６）を読み取るように構成される少なくとも１つの第１の読取デバイスを備え、
前記補助自己推進手段（３４）が、前記第２のロケーション・データ表現（２２）を読み取るように構成される少なくとも１つの第２の読取デバイスを備え、
前記第１と第２のロケーション・データ表現（２２、２６）が前記自動倉庫（９）内での基準点又は基準範囲（１０）の絶対位置を明確に特定する、
ことを特徴とする自動倉庫。
【請求項２】
前記カーゴ・ユニット（１１）の各保管ステーション（１６ｂ）が、前記倉庫（９）内で、対応する基準点又は基準範囲（１０）によって特定される、請求項１に記載の自動倉庫。
【請求項３】
前記第１のデータ表現（２６）が、前記主経路（１２）の中心線の方を向く１つの主ガイド（２４）の面（２８ａ）上に配置され、各副経路（１６）内で、前記第２のデータ表現（２２）が、前記副経路（１６）の中心線の方を向く１つの副ガイド（１８）の面（１９ｂ）上に配置される、請求項１に記載の自動倉庫。
【請求項４】
前記倉庫（９）が、１つのフロア（１４）又は垂直方向において重なる複数のフロア（１４）を有する棚材（１３）を少なくとも備え、各フロア（１４）が少なくとも１つの副経路（１６）を備え、それぞれの主経路（１２）が各フロア（１４）の側面に位置する、請求項１に記載の自動倉庫。
【請求項５】
リフト・ステーション（４９）が、前記経路に隣接するように、前記主経路（１２）に沿うように又は前記主経路（１２）の点（１２ａ）に設けられ、前記リフト・ステーション（４９）が、カーゴ・ユニット（１１）を支持するために及び移動させるために、少なくとも１つの主自己推進手段（３２）及び／又は少なくとも１つの支持・移動ステーション（５４）を受け入れるように適合される少なくとも１つのリフト・プラットフォーム（５２）を支持して誘導するための垂直方向の垂直材（５０）を備え、前記垂直材（５０）のうちの少なくとも１つの垂直材が第３の位置データ表現（６２）を提供し、前記第３の位置データ表現（６２）のデータを読み取るように構成される第３のセンサ（６４）が前記リフト・プラットフォーム（５２）上に設置される、請求項１又は４に記載の自動倉庫。
【請求項６】
前記データ表現（２２、２６、６２）が、線形バーコード、マトリックス・バーコード又は三次元バーコードの形態であり、前記読取デバイス（３８、４８、６４）が光学式読取センサである、請求項１から５までのいずれか一項に記載の自動倉庫。
【請求項７】
少なくとも１つの積載及び荷降ろしステーション（６０）が前記主経路（１２）の少なくとも１つの端部（１２ａ）に配置され、前記積載及び荷降ろしステーション（６０）が前記リフト・プラットフォーム（５２）上の前記支持・移動ステーション（５４）に動作可能に連結され、前記積載及び荷降ろしステーション（６０）がカーゴ・ユニット（１１）を移動させるように適合される、請求項１又は５又は６に記載の自動倉庫。
【請求項８】
前記補助自己推進手段（３４）が前記主自己推進手段（３２）から独立して移動可能である、請求項１に記載の自動倉庫。
【考案の詳細な説明】
【技術分野】
【０００１】
本考案は、請求項１のプリアンブルで定義されるタイプの、シャトル及びサテライトを用いてカーゴ・ユニットを移動させるためのシステムを備える自動倉庫に関する。
【背景技術】
【０００２】
デカルト・タイプ（Ｃａｒｔｅｓｉａｎ  ｔｙｐｅ）のかさばるエネルギー集約型の従来の平行移動リフト・デバイス（ｔｒａｎｓｌａｔｉｏｎ−ｌｉｆｔｉｎｇ  ｄｅｖｉｃｅ）の代わりにこのような構造を有する倉庫は、よりコンパクトな移動手段を有し、これは一般に、第１の主手段（「シャトル」と称される）と、第１の主手段に動作可能に接続される第２の補助手段（「サテライト」と称される）とを備える。
【０００３】
シャトルが倉庫棚によってシャトルの側部に画定される主通路に沿って移動し、倉庫棚が副通路に沿うように複数のステーションを形成し、そこにカーゴ・ユニットが収容され得る。積荷を配置する必要があるか又は取り出す必要があるステーションが位置する副通路にシャトルが到達すると、サテライトがシャトルから切り離され、そのサテライトが副通路に沿って移動し、ユニットを降ろすか又は取り出す作業を具体的に実行する。シャトルは、上で言及した作業中、静止状態を維持し、サテライトの帰還を待つ。
【０００４】
今説明した自動倉庫システムには、シャトル及びサテライを変位させるときの正確さと、動作時間の最適化とに関連する２つの種類の問題がある。
【０００５】
１つの目の問題は、倉庫内で移動手段を適切に配置することを制御することができる精度に関連する。一般にエンコーダ・トランスデューサに基づく現在の位置フィードバック・システムには、棚材の構成公差の積み重ねを原因としてエラーが発生するという問題があり、この棚材の構成公差は倉庫の寸法が増すにつれて増大する。
【０００６】
摩耗も、配置を制御するための現在の解決策の信頼性を低下させるのに寄与する別の１つの要因である。例えば、車両ホイールの回転を検出して記録された回転数を直線長さに変換するためのエンコーダにも、同様に、ホイールが摩耗するという問題があり、その理由は、変換アルゴリズムが実際の値に一致しない値に基づいて動作し続けることである。ホイールの振動又はスリップも操作車両（ｈａｎｄｌｉｎｇ  ｖｅｈｉｃｌｅ）の配置を評価することの正確性に影響する場合がある。
【０００７】
２つ目の問題は種々の操作作業のダウンタイムに関連する。ダウンタイムは、再び移動する前の段階で、シャトルが、サテライトによる積荷の取り出し作業又は配置作業が完了するのを待つ必要があることを原因とする。
【考案の概要】
【考案が解決しようとする課題】
【０００８】
本考案の目的は、費用効果が高く効率的な手法で両方の問題を回避することである。
【課題を解決するための手段】
【０００９】
従来のシステムの場合、所定の基準点を基準として、絶対的又は加算的な手法で計算することにより距離を測定して、位置の推定が得られる（上で言及した推定誤差が生じる）。逆に、本考案による自動倉庫は絶対位置データを検出する（距離は検出しない）システムを備える。このような位置データは、シャトル及びサテライトから独立した外部の固定される基準方式（ｒｅｆｅｒｅｎｃｅ  ｓｙｓｔｅｍ）に基づく。手動で再始動させるか又は操作者により操作作業を行う場合でも操作モジュールの絶対位置を設定するのを可能にするこの解決策は、好適には光学タイプ（例えば、”バーコード”タイプ）のデータ表現によって実行される。このような表現は特別な読取デバイス（バーコードの場合には光学タイプの読取デバイス）によって翻訳される。このようにして、位置の推定の不確実性の問題が解決される。
【００１０】
動作時間に関しては、本考案によると、シャトル及びサテライトを互いに独立させて移動させることにより保管システムの性能を明確に向上させることが達成され、その結果、従来技術とは異なり、サテライトが１つのミッションに従事する間に、シャトルが他の作業を実行することができる。
【００１１】
請求項１に記載の特徴を有するシステムにより、本考案の態様に従って、上記の目的及び利点並びに他の目的及び利点が達成される。本考案の好適な実施例が従属請求項で定義される。
【００１２】
次に、添付図面を参照して本考案のいくつかの好適な実施例を説明する。
【図面の簡単な説明】
【００１３】
【図１】本考案の一実施例による自動倉庫を示す概略斜視図である。
【図２Ａ】図１の倉庫内に設けられる第１の移動手段を示す概略不等角投影図（ｓｃｈｅｍａｔｉｃ  ａｘｏｎｏｍｅｔｒｉｃ  ｖｉｅｗ）である。
【図２Ｂ】図１の倉庫内に設けられる第２の移動手段を示す概略不等角投影図である。
【図２Ｃ】図２Ａ及び２Ｂの移動手段を備える自己推進装置（ｓｅｌｆ−ｐｒｏｐｅｌｌｅｄ  ａｐｐａｒａｔｕｓ）を示す概略側面図である。
【図３】図１の倉庫の細部を示す概略側方斜視図である。
【図４】図１の倉庫の細部を示す概略側方斜視図である。
【図５】図１の倉庫の第２の細部を示す概略斜視図である。
【図６】図５の倉庫の細部を示す概略斜視図である。
【考案を実施するための形態】
【００１４】
本考案の実施例を詳細に説明する前に、本考案のその用途が、以下の説明に記載されるか又は図面に示される構成要素の構造及び構成の細部に限定されないことを理解されたい。本考案は他の実施例も可能であり、多様な形で実施又は実行され得る。また、本明細書で使用される表現法及び専門用語が説明を目的とし、限定するものとしてみなされるべきではないことを理解されたい。「有する」及び「備える」並びにそれらの語尾変化を使用することは、その後に列記されるアイテム及びその均等物を包含しさらには追加のアイテム及びその均等物を包含することを意味する。
【００１５】
図１を参照すると、本考案による自動倉庫９の好適な非限定の実施例が表されている。以下で説明するタイプの倉庫は、軸ｘに平行に長手方向に従って延在する主経路又は主通路１２を形成する。
【００１６】
本記述を通して、及び、実用新案登録請求の範囲では、「長手方向」、「垂直方向」又は「横方向」などの、位置及び向きを示す用語及びフレーズは軸ｘを基準として意味される。
【００１７】
主通路１２が、その長さの全体又は一部分に沿って、回転手段のための支持体として機能する２つの平行な側部主ガイド２４によって画定される。ガイドは複数の断面形状によって得られ、好適には、逆Ｕ形、Ｃ形、Ｚ形などの形態の箱形状の金属セクション・バーによって得られる。各主ガイド２４は、概して、主通路の方を向く第１の垂直内側面２８ａと、第１の面に平行である第２の外側垂直面２８ｃと、第１の面と第２の面とを接続させるための平坦な上側水平面２８ｂとを形成する。
【００１８】
水平面２８ｂが、カーゴ・ユニット１１を移動させるために、自己推進装置３０（図２Ｃに示される）の複数のホイール４０のための支持・摺動表面として機能する。装置３０は、非限定の実施例では、第１の主手段又は主車両３２（以降、本明細書では「シャトルと」称され、図２Ａに詳細に示される）と、第２の補助手段又は補助車両３３（以降、本明細書では「サテライト」と称され、図２Ｂに詳細に示される）とを備える。第２の手段は、シャトル３２の構造３３内に得られる特別なシート３３ａ内で受け入られることにより、第１の手段によって移送され得る。
【００１９】
好適には、シート３３ａは、垂直方向縁部３３ｂを有する２つの垂直材３６によって長手方向に画定される。垂直材３６はカーゴ・ユニット１１のための載置表面として機能する。カーゴ・ユニット１１は、通常、積荷１１ｂを支持するパレット１１ａを備える（図３）。
【００２０】
サテライト３４が、構造４２と、複数のホイール４６と、カーゴ・ユニット１１を取り出すか又は配置するための手段３５とを備える。カーゴ・ユニット１１は、主通路１２の側部に配置される棚材１３内に位置する。手段３５は、本考案の一実施例によると、パンタグラフ機構３５ｂ又は任意選択で別の種類のジャッキ又はアクチュエータによって持ち上げられる得る載置プレート３５ａを備える。
【００２１】
棚材１３は図１及び３に示されるように複数の垂直材２０及びリブ２０ａによって支持され、また、棚材１３は、主通路１２を基準として横方向又は垂直方向に沿うように配置される複数の副経路１６を形成する。副経路１６は、その長さの全体又は一部分に沿って、２つの側部副ガイド１８によって各々画定される。これらのガイドは、好適には、箱形状又は逆Ｕ形の金属セクション・バーを用いて得られる。各副ガイド１８は、副経路１６の方を向く第１の垂直内側面１９ｂと、第１の面に平行な第２の垂直外側面１９ｃと、第１の面と第２の面との間にある水平接続面１９ｃと、サテライト３４のホイール４６のための支持・摺動表面として機能する、副経路１６の方を向く平坦な突出部１９ｄとを形成する。各副経路１６が、カーゴ・ユニット１１を受け入れるための１つ又は複数の箱１６ｂを備える。
【００２２】
倉庫の有利な実施例（図１に示される）では、棚１３が主通路１２の両側の長手方向側部上に設けられる。任意選択で、複数の中央通路１２が設けられ、それらの間に棚１３が散在する。さらに、棚は一般にマルチ・フロアの棚であり、長手方向及び横方向に加えて、垂直方向にも延在し、つまり、１つ又は複数の互いに重なるフロア１４を備える。各フロア１４は、上述の形態によると、複数の副経路１６を形成する。それぞれの主通路１２が各フロア１４の側面に位置し、したがって、垂直軸ｚに沿う中央通路１２の重複部分及び間隔を決定する。
【００２３】
示されない実施例によると、複数のシャトル及び／又はサテライトが各々の中央通路１２上で動作することができる。
【００２４】
図１に示されるように、２つの主ガイド２４のうちの１つの主ガイドが内側面２８ａ上にデータ表現２６、この実例では、線形バーコードの形態の光学的表現を適切に提供する。表現２６の上記の実施例は以下の点に関して限定的であると解釈されない：
−  光学的な形のデータの表現形態（線形バーコード、マトリックス・バーコード、三次元バーコードなど）：他の示されない実施例では、データ表現は、磁気タイプであるか、又は、支持体に付加される／組み込まれるやはり異なるタイプであってよい；
−  適用表面（表現２６は、併用で又は別法として、セクション・バー２４の１つ又は複数の面２８ａ、２８ｂ、２８ｃ上に提供されてもよい）；
−  表現２６が提供されるガイド（表現２６は、図１に示される実施例によると２つのガイドのうちの１つのガイド上で提供され得、又は、示されない実施例によると両方のガイド上に提供され得る）；
−  ガイド２４に対して表現２６を接続するためのシステム（接着、ねじ留め、溶接、オーバープリントなどによる）；
−  表現２６を製造するための材料（接着テープ、プラスチック、金属など）。
【００２５】
図１及び３に示されるように、２つの副ガイド１８のうちの１つの副ガイドが、内側面１９ｂ上にデータ表現２２を適切に提供し、この実例では、線形バーコードの形態の光学的表現を提供する。データ表現の形態と、表現２２の適用表面と、表現が設けられるガイドと、ガイド１８に対する表現２２の接続システムと、表現２２を製造するための材料とに関して、表現２６に対して与えられた所見（ｏｂｓｅｒｖａｔｉｏｎ）は、データ表現２２にも適用される。
【００２６】
図４が、主ガイド２４及び副ガイド１８上でのデータ表現２２、２６の構成の好適な実施例の詳細を示す。
【００２７】
倉庫の好適な実施例によると、データ表現（図１、３、４に示される実施例では既に言及したように、また、図６でも分かるように、これらの表現は線形バーコードである）が、複数の基準点又は基準範囲１０を示す離れた複数の英数字データを表す。各基準点又は基準範囲１０が主経路又は副経路の点又は一定の長さに関連付けられ、これは倉庫９内で一義的に示される。いくつかの点又は長さが、１つ又は複数のカーゴ・ユニット１１を受け入れるための箱１６ｂの位置に対応する（図５）。倉庫内に設けられるすべての基準点１０を仮想マッピングすることが実行される。この仮想マッピングは計算処理ユニット（図示せず）内に記憶される。好都合な実施例では、倉庫９の全体に対して１つの処理ユニットが設けられる。示されない実施例によると、処理ユニットがシャトル３２及び／又はサテライト３４上に位置してよい。
【００２８】
倉庫９内の特定の箱１６ｂでカーゴ・ユニット１１を取り出すか又はカーゴ・ユニット１１をそこに配置することが開始されると、処理ユニットが、選択された箱１６ｂに対応する基準点又は基準範囲１０を特定する。倉庫内での基準点又は基準範囲１０の分布は、予め順序付けられる番号順に必ずしも従う必要はない。この順序はランダムであってもよく、その理由は、シャトル及びサテライトの配置を制御することが、（絶対又は加算的）距離ではなく、離散の点に従って行われるからである。
【００２９】
処理ユニットが、箱１６ｂに関連付けられた基準点又は基準範囲１０に到達させるための指示を自己推進装置３０に送信する。シャトル３２のシート３３ａの垂直方向縁部３３ｂが突出部に重なり合うようになるまで、自己推進装置３０が主通路１２に沿って移動し、この突出部は、カーゴ・ユニット１１が取り出されるか又は配置されることを必要とする基準点１０が位置する棚材１３の副経路１６の境界を画定する２つの連続する副ガイド１８の内側面１９ｂの突出部であり、ベクトルｘ及びｚによって特定される平面に平行な平面を基準とする。
【００３０】
本考案の好適な実施例によると、自己推進装置３０を移動させること、並びに、自己推進装置３０と箱１６ｂを含有する副経路１６とを互いに対して適切に配置することが、シャトル３２のボード上に設置されるセンサ３８によって制御される。好適ではあるが非限定の実施例では、センサ３８は光学タイプの読取デバイス又は検出デバイスである。別の実施例（図示せず）によると、シャトル３２も複数のセンサ３８を備えることができる。
【００３１】
センサ３８は、主ガイド２４上のバーコード２６によって表される基準点又は基準範囲１０を読み取って復号することにより、主経路１２上での自己推進装置３０又は１つのシャトル３２の正確な位置を検出することができる。
【００３２】
カーゴ・ユニット１１がシャトル３２の垂直材３６の上に載置されている場合、サテライト３４がプレート３５ａを用いてカーゴ・ユニット１１を持ち上げ、カーゴ・ユニット１１をシャトル３２から外す。サテライト３４が副ガイド１８の突出部１９ｄ上を摺動しながら副経路１６に沿って移動し、副経路１６に沿わせてカーゴ・ユニットを移送し、基準点又は基準範囲１０によって特定される箱１６ｂに対応する位置まで到達させる。
【００３３】
本考案の好適な実施例によると、サテライト３４を移動させること及びサテライト３４を箱１６ｂに適切に配置することが、サテライト３４のボード上に設置されるセンサ４８によって制御される。好適ではあるが非限定の実施例では、センサ４８は光学タイプの読取デバイス又は検出デバイスである。別の実施例（図示せず）によると、サテライト３４も複数のセンサ４８を備えることができる。
【００３４】
センサ４８は、副ガイド１８上のバーコード２２によって表される基準点又は基準範囲１０を読み取って復号することにより、副経路１６上でのサテライト３４の正確な位置を検出することができる。
【００３５】
サテライト３４は定位置にくるとプレート３５ａを降下させ、ユニット１１のパレット１１ａをガイド１８の平坦な表面１９ａの上に載置する。サテライトはカーゴ・ユニット１１の配置作業を完了すると、副経路１６に沿って移動して副経路１６の末端１６ａまで戻る。
【００３６】
カーゴ・ユニット１１が箱１６ｂ内に収容されると、サテライト３４がシャトル３２から切り離され、副ガイド１８の突出部１９ｄ上を摺動しながら副経路１６に沿って移動し、箱１６ｂに関連付けられる基準点又は基準範囲１０によって特定される箱１６ｂに対応する位置に到達する。
【００３７】
サテライト３４がプレート３５ａを用いてカーゴ・ユニット１１を持ち上げ、カーゴ・ユニット１１をガイド１８から外し、副経路１６に沿ってカーゴ・ユニット１１を移送しながら副経路１６に沿って移動して副経路１６の末端１６ａ（図４）まで戻る。
【００３８】
サテライト３４によって実施される作業を実行する間、シャトル３２は、サテライトが戻ってくるのを待つのを必ずしも必要とすることなく他の作業を自由に実施することができる。
【００３９】
本考案の一実施例（図示せず）では、２つ以上のシャトル３２及び／又は２つ以上のサテライト３４が倉庫内に設けられ、理論的には、シャトル３２が第１の副経路でサテライト３４を降ろすことができ、また、サテライトがその作業を実施する間にシャトルが第１の副経路ではない第２の副経路内の別のサテライトを自由に取り出すことができる。
【００４０】
さらに、本考案の一実施例では、倉庫が、挿入するか又は倉庫から取り出す必要があるカーゴ・ユニット１１のための積載及び／又は荷降ろしステーション６０を備える（図４）。有利には、積載及び／又は荷降ろしステーション６０が、倉庫全体のベース表面とみなされるフロアＰの高さで、主通路１２の端部１２ａに位置する。
【００４１】
別の実施例（図示せず）では、積載及び／荷降ろしステーション６０が２つの以上の中央通路１２に設けられる。
【００４２】
シャトル６０が摺動ガイド又はコンベア・ベルト６０ａを有することができ、これは、直接に、又は、図５及び６に示されるように、摺動ガイド又はコンベア・ベルト５４ａを装備する中間ステーション５４を介して、シャトル３２からカーゴ・ユニット１１を受け取るか又はシャトル３２上にカーゴ・ユニット１１を積載する。
【００４３】
好適な実施例では、シャトル３２及び中間ステーション５４は、リフト構造（ｌｉｆｔｉｎｇ  ｓｔｒｕｃｔｕｒｅ）４９の垂直材５０によって支持されるリフト・プラットフォーム（ｌｉｆｔｉｎｇ  ｐｌａｔｆｏｒｍ）５２内で受け入れられ得る。リフト構造４９は自己推進装置３０を垂直方向に移動させるか又はシャトル３２のみを垂直方向に移動させるのを可能にし、その結果、装置又はシャトルが、棚材１３の各フロア１４に対応する別の中央通路を通り過ぎることができる。
【００４４】
図５に示されるように、また、図６により詳細に示されるように、垂直材５０のうちの１つの垂直材が、垂直材の内側面５０ａ上に位置する第３のロケーション・データ表現６２を提供する。第３のセンサ６４がリフト・プラットフォーム５２上に設置される。第３のセンサ６４は、第３のロケーション・データ表現６２のデータを読み取るように構成される。この実例では、データ表現６２は線形バーコードの形態の光学タイプの表現である。データ表現の形態と、表現６２の適用表面と（表現６２は、垂直材を形成するセクション・バーの１つの面上に適用され得るか又は示されない実施例によると複数の面上に適用され得る）、表現が設けられる垂直材と（表現は１つの垂直材上に適用され得るか又は示されない実施例によると複数の垂直材上に適用され得る）、垂直材５０に対する表現６２の接続システムと、表現６２を製造するための材料とに関して、表現２２、２６に対して与えられた所見は、データ表現６２にも適用される。
【００４５】
別の実施例（図示せず）によると、リフト・プラットフォーム５２も複数のセンサ６４を備えることができる。
【００４６】
センサ６４は、垂直材５０を基準としてリフト・プラットフォーム５２が位置する正確な垂直方向の高さ（つまり、ベクトルｚに沿う）を検出することができる。センサ６４は、垂直材５０上のバーコード６２によって表される基準点又は基準範囲１０を読み取って復号することにより、この位置を検出する。
【００４７】
データ表現２２、２６、６２は、それぞれ、横方向（ｙ）、長手方向（ｘ）及び垂直方向（ｚ）に沿うロケーション・データを提供する。これらの入手可能なデータにより、倉庫９の三次元マッピングを得ることが可能となる。
【００４８】
さらに、リフト構造４９が、装置３０の存在とは関係なく、中間ステーション５４上でシャトル３２或いは１つ又は複数のカーゴ・ユニット１１を移動させることができ、それにより動作時間がさらに最適化される。
【００４９】
保管方法の可能性のある初期ステップはカーゴ・ユニットを積載ステーション６０上に置くことであり、ここでは、リフト構造４９のリフト・プラットフォーム５２がフロアＰの平面まで降下され、つまり、積載／荷降ろしステーション６０の摺動ガイド６０ａと、中間ステーション５４の摺動ガイド５４ａと、及び／又は、シャトル３２の構造３３の垂直材３６上に位置するチェーン・ロール３７とを近接させる（図２Ａ、５及び６）。摺動ガイド又はコンベア・ベルト６０ａを用いてカーゴ・ユニットが中間ステーション５４まで送られ、そこから、シャトル３２のテレスコピック・フォーク又はチェーン・ロール３７により積荷がシャトルまで移送される。シャトル３２がチェーン・ロール３７を備えるような構成が好適な構成であり、その理由は、サテライトのボード上に存在するかどうかに関係なく、つまり、シート３３ａ内に収容されるかどうかに関係なく、シャトルがカーゴ・ユニットを積載及び／又は荷降ろしすることが可能となるからである。
【００５０】
逆に、カーゴ・ユニットを倉庫から取り出す必要がある場合、今説明した方法が逆となり：シャトル３２が積荷を中間ステーション５４まで送り、そこから積荷がさらに荷降ろしステーション６０まで移送され、そこで積荷が取り出される。
【００５１】
カーゴ・ユニットを取り出すとき及び／又は配置するとき、棚材１３の第１のフロアではなくフロア１４に隣接する主通路１２に到達することが必要となる場合、上述の作業は以下のステップによって完了することになる：自己推進装置３０、又は、シャトル３２のみが、リフト・プラットフォーム５２上に積載され、プラットフォームを介して垂直方向に平行移動させられ、それにより移動手段３０、３２、３４が倉庫の任意の点に到達することが可能となる。
【００５２】
ロケーション・データ３８、４８、６４を検出するためのセンサに関しては、このセンサは光学タイプのセンサであることが好ましい。センサの特有の技術は要求に応じて変化し得る。例えば、フォトダイオードに付随する光源、レーザ光源、ＬＥＤのバー光源を用いる光学式読取装置、ＣＣＣ（電荷結合素子）センサ、フォト・カメラ・タイプの画像読取システム、多数のバーコードからの情報を同時に捕捉することができる高解像度フォト・カメラを使用する「Ｌａｒｇｅ  ｆｉｅｌｄ−ｏｆ−ｖｉｅｗ」タイプの読取装置などが使用され得る。
【００５３】
他の実施例では、センサ３８、４８、６４はデータ表現のタイプに応じて別のタイプのセンサであってもよく、例えば磁気センサであってよい。
【００５４】
したがって、本考案によって達成される利点は以下の通りである：
−  構造交差、振動、熱膨張、スリップ、摩耗を原因とするエラー及び不確実性を生じさせることなく、倉庫内での移動手段の位置を決定するのを可能にする精度、並びに、
−  従来技術によって企図される自動倉庫と比較して、より多くの作業を同時に実施することができる能力。
【００５５】
本考案の複数の態様／実施例を説明してきた。各態様／実施例が任意の他の態様／実施例と組み合わされ得ることを理解されたい。また、本考案は説明した実施例のみ限定されず、添付の実用新案登録請求の範囲の範囲内で変更され得る。
【図１】
0003222407.tif 000003
【図２Ａ】
0003222407.tif 000004
【図２Ｂ】
0003222407.tif 000005
【図２Ｃ】
0003222407.tif 000006
【図３】
0003222407.tif 000007
【図４】
0003222407.tif 000008
【図５】
0003222407.tif 000009
【図６】
0003222407.tif 000010
【手続補正書】
【提出日】令和1年5月28日(2019.5.28)
【手続補正１】
【補正対象書類名】実用新案登録請求の範囲
【補正対象項目名】全文
【補正方法】変更
【補正の内容】
【実用新案登録請求の範囲】
【請求項１】
相互に面する平行な主ガイド（２４）の間で特定される少なくとも１つの主経路（１２）と、
相互に面する平行な対の副ガイド（１８）によって特定される、前記主経路（１２）に対して垂直な複数の副経路（１６）であって、前記複数の副経路（１６）に沿って保管ステーション（１６ｂ）が画定され、各ステーションが少なくとも１つのカーゴ・ユニット（１１）を受け取るように適合される、複数の副経路（１６）と、
前記カーゴ・ユニット（１１）を操作するための少なくとも１つの自己推進装置（３０）であって、前記主経路（１２）の前記主ガイドに沿って移動可能である主自己推進手段（３２）を備え、前記主自己推進手段（３２）が、前記副経路（１６）の前記副ガイドに沿って移動可能である少なくとも１つの補助自己推進手段（３４）を受け入れるための少なくとも１つのシート（３３ａ）を有する、少なくとも１つの自己推進装置（３０）と
を備える自動倉庫であって、
前記主経路（１２）の前記主ガイド（２４）のうちの少なくとも１つの主ガイドの少なくとも１つの面（２８ａ、２８ｂ、２８ｃ）が、少なくとも第１のセンサ（３８）によって読み取り可能である第１のロケーション・データ表現（２６）を提供し、
前記副経路（１６）の前記副ガイド（１８）のうちの少なくとも１つの副ガイドの少なくとも１つの面（１９ａ、１９ｂ、１９ｃ）が、少なくとも第２のセンサ（４８）によって読み取り可能である第２のロケーション・データ表現（２２）を提供し、
前記主自己推進装置（３２）が、前記第１のロケーション・データ表現（２６）を読み取るように構成される少なくとも１つの第１の読取デバイスを備え、
前記補助自己推進手段（３４）が、前記第２のロケーション・データ表現（２２）を読み取るように構成される少なくとも１つの第２の読取デバイスを備え、
前記第１と第２のロケーション・データ表現（２２、２６）が前記自動倉庫（９）内での基準点又は基準範囲（１０）の絶対位置を明確に特定する、
ことを特徴とする自動倉庫。
【請求項２】
前記カーゴ・ユニット（１１）の各保管ステーション（１６ｂ）が、前記倉庫（９）内で、対応する基準点又は基準範囲（１０）によって特定される、請求項１に記載の自動倉庫。
【請求項３】
前記第１のデータ表現（２６）が、前記主経路（１２）の中心線の方を向く１つの主ガイド（２４）の面（２８ａ）上に配置され、各副経路（１６）内で、前記第２のデータ表現（２２）が、前記副経路（１６）の中心線の方を向く１つの副ガイド（１８）の面（１９ｂ）上に配置される、請求項１に記載の自動倉庫。
【請求項４】
前記倉庫（９）が、１つのフロア（１４）又は垂直方向において重なる複数のフロア（１４）を有する棚材（１３）を少なくとも備え、各フロア（１４）が少なくとも１つの副経路（１６）を備え、それぞれの主経路（１２）が各フロア（１４）の側面に位置する、請求項１に記載の自動倉庫。
【請求項５】
リフト・ステーション（４９）が、前記経路に隣接するように、前記主経路（１２）に沿うように又は前記主経路（１２）の点（１２ａ）に設けられ、前記リフト・ステーション（４９）が、カーゴ・ユニット（１１）を支持するために及び移動させるために、少なくとも１つの主自己推進手段（３２）及び／又は少なくとも１つの支持・移動ステーション（５４）を受け入れるように適合される少なくとも１つのリフト・プラットフォーム（５２）を支持して誘導するための垂直方向の垂直材（５０）を備え、前記垂直材（５０）のうちの少なくとも１つの垂直材が第３の位置データ表現（６２）を提供し、前記第３の位置データ表現（６２）のデータを読み取るように構成される第３のセンサ（６４）が前記リフト・プラットフォーム（５２）上に設置される、請求項１又は４に記載の自動倉庫。
【請求項６】
前記第２のロケーション・データ表現（２２）、第１のロケーション・データ表現（２６）及び第３の位置データ表現（６２）が、線形バーコード、マトリックス・バーコード又は三次元バーコードの形態であり、前記読取デバイス（３８、４８、６４）が光学式読取センサである、請求項５に記載の自動倉庫。
【請求項７】
少なくとも１つの積載及び荷降ろしステーション（６０）が前記主経路（１２）の少なくとも１つの端部（１２ａ）に配置され、前記積載及び荷降ろしステーション（６０）が前記リフト・プラットフォーム（５２）上の前記支持・移動ステーション（５４）に動作可能に連結され、前記積載及び荷降ろしステーション（６０）がカーゴ・ユニット（１１）を移動させるように適合される、請求項５に記載の自動倉庫。
【請求項８】
前記補助自己推進手段（３４）が前記主自己推進手段（３２）から独立して移動可能である、請求項１に記載の自動倉庫。